(57)【要約】【課題】  柄の伸縮に応じて柄の清掃ヘッドに対する揺動角を規制し、床或いは浴槽等に対する清掃性を向上すること。【解決手段】  伸縮自在の柄２０を揺動支軸３０を介して清掃ヘッド４０に連結した清掃具１０であって、柄２０に設けた衝合部２４が柄２０の収縮時に、清掃ヘッド４０に設けてある揺動規制部４２Ａ、４２Ｂによる規制領域４３に挿入され、衝合部２４と揺動規制部４２Ａ、４２Ｂとの衝合により清掃ヘッド４０に対する柄２０の揺動を制限し、柄２０の伸張時には柄２０の衝合部が清掃ヘッド４０の揺動規制部４２Ａ、４２Ｂに衝合せずに柄２０の揺動が制限されないもの。【選択図】  図５
2008295650.tif 000002
【特許請求の範囲】
【請求項１】
伸縮自在の柄を揺動支軸を介して清掃ヘッドに連結した清掃具であって、
柄に設けた衝合部が柄の収縮時に、清掃ヘッドに設けてある揺動規制部による規制領域に挿入され、衝合部と揺動規制部との衝合により清掃ヘッドに対する柄の揺動を制限し、柄の伸張時には柄の衝合部が清掃ヘッドの揺動規制部に衝合せずに柄の揺動が制限されない清掃具。
【請求項２】
前記柄に設けた衝合部が柄の収縮時に、清掃ヘッドに設けてある揺動規制部による規制領域に挿入されたときに、衝合部と揺動規制部との衝合により、前記清掃ヘッドに対する柄の揺動角が一定範囲内で制限される請求項１記載の清掃具。
【請求項３】
前記揺動規制部が清掃ヘッドにおける揺動支軸の下部に設けられ、柄の衝合部が柄の収縮時に揺動規制部による規制領域に挿入される請求項１又は２に記載の清掃具。
【請求項４】
前記揺動規制部が清掃ヘッドにおける揺動支軸から柄の長手方向に沿うグリップ側に設けられ、柄の衝合部が柄の収縮時に揺動規制部による規制領域に挿入される請求項１又は２に記載の清掃具。
【請求項５】
前記柄が一方の筒が他方の筒に挿入されて収縮する第１筒と第２筒からなり、第１筒の先端部が揺動支軸に枢支され、第２筒に衝合部を備える請求項１〜４のいずれかに記載の清掃具。
【請求項６】
前記清掃ヘッドが自重のみで置かれた自由状態の柄の清掃ヘッドに対する姿勢を、その状態で柄が収縮されたときに、柄の衝合部が揺動角を規制する領域に挿入されることになる姿勢に付勢する付勢手段を備える請求項１〜５のいずれかに記載の清掃具。
【発明の詳細な説明】
【技術分野】
【０００１】
本発明は清掃具に関する。
【背景技術】
【０００２】
特許文献１に記載の清掃具は、床用とハンディ用の兼用を図るものであり、柄を清掃ヘッドに揺動自在に連結するに際し、柄を清掃ヘッドに対して一定の揺動角に固定するストッパを備えるものを開示している。
【０００３】
特許文献２に記載の清掃具は、清掃ヘッドを被清掃面に対して立ててそのエッジにより清掃可能にする等のために、柄を清掃ヘッドの溝に収容してロック可能にするものを開示している。
【０００４】
特許文献３に記載の清掃具は、柄が清掃作業中に清掃ヘッドに衝突することを防止し、柄の揺動を緩衝するために、柄と清掃ヘッドをばね部材でつないだものを開示している。
【特許文献１】特開平10-290770
【特許文献２】特開2006-180931
【特許文献３】実登録3036533
【発明の開示】
【発明が解決しようとする課題】
【０００５】
特許文献１〜３に記載の清掃具は、柄の清掃ヘッドに対する揺動角の規制を、柄の収縮に関連付けるところがない。ところが清掃具の使用時に、柄を伸長して床を清掃するときには、柄の清掃ヘッドに対する揺動角を大きくとって大ストロークで清掃する必要がある。他方、浴槽、壁等を小ストロークで清掃するときには、柄を収縮し、柄の清掃ヘッドに対する揺動角を一定範囲内に規制することで、柄から清掃ヘッドに対して清掃圧を加え易く、清掃ヘッドを浴槽の曲面等に追従させ易く、しかも清掃ヘッドを浴槽の縁等でくるっと転回させることなく、清掃性と使い勝手を向上することが望まれる。
【０００６】
特許文献１、２に記載の清掃具は、柄の収縮に関係なく、柄を自由に揺動可能にする状態と、柄の清掃ヘッドに対する揺動角を完全にロックする状態のいずれかを選択できるに過ぎず、床或いは浴槽等に対する清掃性を向上することができない。
【０００７】
特許文献３に記載の清掃具は、柄の収縮に関係なく、柄の揺動中に柄が清掃ヘッドに衝突することを防止し、柄の揺動を緩衝するものであるものに過ぎず、床或いは浴槽等に対する清掃性を向上することができない。
【０００８】
本発明の課題は、柄の伸縮に応じて柄の清掃ヘッドに対する揺動角を規制し、床或いは浴槽等に対する清掃性を向上することにある。
【課題を解決するための手段】
【０００９】
請求項１の発明は、伸縮自在の柄を揺動支軸を介して清掃ヘッドに連結した清掃具であって、柄に設けた衝合部が柄の収縮時に、清掃ヘッドに設けてある揺動規制部による規制領域に挿入され、衝合部と揺動規制部との衝合により清掃ヘッドに対する柄の揺動を制限し、柄の伸張時には柄の衝合部が清掃ヘッドの揺動規制部に衝合せずに柄の揺動が制限されないようにしたものである。
【００１０】
請求項２の発明は、請求項１の発明において更に、前記柄に設けた衝合部が柄の収縮時に、清掃ヘッドに設けてある揺動規制部による規制領域に挿入されたときに、衝合部と揺動規制部との衝合により、前記清掃ヘッドに対する柄の揺動角が一定範囲内で制限されるようにしたものである。
【００１１】
請求項３の発明は、請求項１又は２の発明において更に、前記揺動規制部が清掃ヘッドにおける揺動支軸の下部に設けられ、柄の衝合部が柄の収縮時に揺動規制部による規制領域に挿入されるようにしたものである。
【００１２】
請求項４の発明は、請求項１又は２の発明において更に、前記揺動規制部が清掃ヘッドにおける揺動支軸から柄の長手方向に沿うグリップ側に設けられ、柄の衝合部が柄の収縮時に揺動規制部による規制領域に挿入されるようにしたものである。
【００１３】
請求項５の発明は、請求項１〜４のいずれかの発明において更に、前記柄が一方の筒が他方の筒に挿入されて収縮する第１筒と第２筒からなり、第１筒の先端部が揺動支軸に枢支され、第２筒に衝合部を備えるようにしたものである。
【００１４】
請求項６の発明は、請求項１〜５のいずれかの発明において更に、前記清掃ヘッドが自重のみで置かれた自由状態の柄の清掃ヘッドに対する姿勢を、その状態で柄が収縮されたときに、柄の衝合部が揺動角を規制する領域に挿入されることになる姿勢に付勢する付勢手段を備えるようにしたものである。
【発明の効果】
【００１５】
（請求項１）
(a)清掃具は、柄に設けた衝合部が柄の収縮時に、清掃ヘッドに設けてある揺動規制部による規制領域に挿入され、衝合部と揺動規制部との衝合により柄の清掃ヘッドに対する揺動を規制する。柄の収縮動作に関連付けて直ちに、衝合部と揺動規制部を衝合させ、格別な操作を付加することなく、柄の清掃ヘッドに対する揺動を制限できる。柄の伸縮に合せて柄の長さに適した、柄の清掃ヘッドに対する揺動の自由度を実現できる。
【００１６】
(b)柄を伸長して床等を清掃するとき、柄の清掃ヘッドに対する揺動は規制されない。従って、柄の清掃ヘッドに対する揺動範囲を大きくとって大ストロークで清掃できる。
【００１７】
(c)柄を収縮して浴槽、壁等を清掃するとき、柄の清掃ヘッドに対する揺動は上述(a)により制限され、床或いは浴槽等に対する清掃圧を効果的にかけることができる。
【００１８】
（請求項２）
(d)柄を収縮して浴槽、壁等を清掃するとき、柄の清掃ヘッドに対する揺動角が一定範囲内に制限される。従って、柄の清掃ヘッドに対する揺動角をロックすることはなく、揺動角の自由度を小さくとって小ストロークで清掃でき、床或いは浴槽等に対する清掃圧をかけやすく、清掃ヘッドが浴槽の縁等でくるっと転回することを防止して、使い勝手と清掃性を向上することができる。
【００１９】
（請求項３）
(d)前述(a)の揺動規制部が清掃ヘッドにおける揺動支軸の下部に設けられ、柄の衝合部が柄の収縮時に揺動規制部による規制領域に挿入され、柄の伸縮に応じて柄の清掃ヘッドに対する揺動角を規制できる。揺動規制部を清掃ヘッドにおける揺動支軸の下部に設けたから、清掃ヘッドをコンパクトにできる。
【００２０】
（請求項４）
(e)前述(a)の揺動規制部が清掃ヘッドにおける揺動支軸から柄の長手方向に沿うグリップ側に設けられ、柄の衝合部が柄の収縮時に揺動規制部による規制領域に挿入され、柄の伸縮に応じて柄の清掃ヘッドに対する揺動角を規制できる。
【００２１】
（請求項５）
(f)柄が互いに伸縮する第１筒と第２筒からなり、第２筒の先端部が揺動支軸に枢支され、第１筒に衝合部を備えるようにしたから、極めて簡易な構成により、柄の伸縮に応じて柄の清掃ヘッドに対する揺動角を規制できる。
【００２２】
（請求項６）
(g)柄の自由状態での清掃ヘッドに対する姿勢を、柄がその姿勢で収縮されたとするとき、柄の衝合部が揺動規制部による規制領域にそのまま挿入されることとなる姿勢に付勢する付勢手段を備えるようにしたから、極めて簡易な構成により、柄の伸縮に応じて柄の清掃ヘッドに対する揺動角を規制できる。
【発明を実施するための最良の形態】
【００２３】
（実施例１）（図１〜図８）
図１〜図６の清掃具１０は、伸縮自在の柄２０を揺動支軸３０を介して清掃ヘッド４０に連結し、清掃ヘッド４０に不織布、発泡樹脂等の清掃部材４０Ａを着脱可能に備えたものである。
【００２４】
柄２０は、互いに伸縮する第１筒としての外筒２１と、第２筒としての内筒２２からなり、外筒２１の基端側にグリップ２１Ａを備え、内筒２２の先端部２２Ａが揺動支軸３０に枢支されたものである。柄２０は、外筒２１の先端部２１Ｂにロック手段２３を備え、ロック手段２３により外筒２１と内筒２２を伸長状態（図１、図２）又は収縮状態（図３、図５）のいずれかにてロックし、ロック手段２３に加えるロック解除操作によりそのロックを解除して外筒２１と内筒２２の伸縮可能にする。ここで、ロック手段２３は、ピン嵌合、弾性部材による押圧等の様々な技術を採用することができる。
【００２５】
清掃ヘッド４０は、上面に左右の軸受４１を備え、この軸受４１に揺動支軸３０の両端部を支持し、揺動支軸３０の中央部に内筒２２の先端部２２Ａを枢支する。清掃ヘッド４０の下面に設けたマジックテープ（登録商標）等に清掃部材４０Ａを着脱自在に固定しても良いし、融着等により固定しても良い。
【００２６】
清掃具１０は、柄２０を図１、図２に示す如くに伸長して床を清掃するときには、柄２０の清掃ヘッド４０に対する揺動角を大きくとって大ストロークで清掃することが必要とされ、浴槽、壁等を小ストロークで清掃するときには、柄２０を図３、図５に示す如くに収縮し、柄２０の清掃ヘッド４０に対する揺動角を一定範囲内に規制することで、柄２０から清掃ヘッド４０に対して清掃圧を加え易く、清掃ヘッド４０を浴槽の曲面等に追従させ易く、しかも清掃ヘッド４０を浴槽の縁等でくるっと転回させることなく、使い勝手と清掃性を向上することが望まれる。そこで、清掃具１０は、柄２０の伸縮に応じて柄２０の清掃ヘッド４０に対する揺動角を規制するため、以下の構成を具備する。
【００２７】
即ち、清掃具１０は、図３〜図６に示す如く、柄２０の外筒２１の先端部２１Ｂに設けた長片状衝合部２４（図７）が、柄２０の収縮時に、清掃ヘッド４０に設けてある第１と第２の揺動規制部４２Ａ、４２Ｂ（図８）による規制領域４３に挿入され、衝合部２４と第１と第２の揺動規制部４２Ａ、４２Ｂとの衝合により柄２０の清掃ヘッド４０に対する揺動角を一定範囲内に規制する。
【００２８】
本実施例では、第１と第２の揺動規制部４２Ａ、４２Ｂが清掃ヘッド４０における揺動支軸３０の下部に設けられ、柄２０の衝合部２４が柄２０の収縮時に第１と第２の揺動規制部４２Ａ、４２Ｂによる規制領域４３に挿入される。柄２０の揺動支軸３０を通る直径線であって、柄２０の収縮時に揺動支軸３０の下部の規制領域４３に挿入された挿入部２４の衝合平面に直交する直交線を仮想するとき、清掃ヘッド４０においてこの直径線が交差する交差点の一方側に第１揺動規制部４２Ａとなる面を設け、他方側に第２揺動規制部４２Ｂとなる面を設け、両面を一定の角度で交差させた。柄２０の衝合部２４が清掃ヘッド４０の第１揺動規制部４２Ａに衝合するとき（図３、図４）、柄２０の清掃ヘッド４０に対する揺動角は第１揺動角（例えば0度）に設定され、柄２０の衝合部２４が清掃ヘッド４０の第２揺動規制部４２Ｂに衝合するとき（図５、図６）、柄２０の清掃ヘッド４０に対する揺動角は第２揺動角（例えば20度）に設定され、柄２０の清掃ヘッド４０に対する揺動角を例えば0度（柄２０と清掃ヘッド４０が平行）〜20度の範囲内に規制される。
【００２９】
尚、長辺状衝合部２４を揺動規制部に衝合させることにより、柄２０の清掃ヘッド４０に対する揺動をロックすることもできる。例えば、清掃ヘッド４０において、第２揺動規制部４２Ｂを撤去し、第１揺動規制部４２Ａを第２揺動規制部４２Ｂのあった側にまで延長させると、柄２０の衝合部２４がこの第１揺動規制部４２Ａに衝合し、柄２０は揺動角を例えば0度でロックされる。第１揺動規制部４２Ａを撤去し、第２揺動規制部４２Ｂを第１揺動規制部４２Ａのあった側にまで延長させると、柄２０の衝合部２４がこの第２揺動規制部４２Ｂに衝合し、柄２０は揺動角を例えば20度でロックされる（図９、図１０）。
【００３０】
或いはまた、柄２０の衝合部２４を、図１１、図１２に示す如く、清掃ヘッド４０の第１揺動規制部４２Ａと第２揺動規制部４２Ｂのそれぞれに同時に衝合する第１衝合部２４Ａと第２衝合部２４Ｂからなるものとすることにより、柄２０の衝合部２４Ａ、２４Ｂを同時に清掃ヘッド４０の揺動規制部４２Ａ、４２Ｂに衝合し、柄２０は揺動角を例えば20度でロックされる。
【００３１】
清掃具１０は、柄２０に清掃圧を加えない、柄２０の先端で清掃ヘッド４０が自重で置かれた（自由状態での）際に、柄２０の清掃ヘッド４０に対する姿勢を、柄２０がその姿勢で収縮されたとするとき、柄２０の衝合部２４が清掃ヘッド４０の第１と第２の揺動規制部４２Ａ、４２Ｂによる規制領域４３にそのまま挿入されることとなる姿勢に付勢する付勢手段５０を備える。付勢手段５０は、図４、図６に示す如く、揺動支軸３０のまわりに巻装されるねじりコイルばねからなり、付勢手段５０のばね素線の一端を柄２０に、他端を清掃ヘッド４０に引掛け、柄２０の衝合部２４を清掃ヘッド４０の第１揺動規制部４２Ａに衝合せしめる方向に該柄２０を清掃ヘッド４０に対して回転させる付勢力を付与する。
【００３２】
尚、上記実施例にあっては、外筒２１を第１筒とし、内筒２２を第２筒とした清掃具１０について説明したが、内筒２２を第１筒とし、外筒２１を第２筒としたものであっても良い。
【００３３】
本実施例によれば以下の作用効果を奏する。
(a)清掃具１０は、柄２０に設けた衝合部２４が柄２０の収縮時に、清掃ヘッドに設けてある揺動規制部４２Ａ、４２Ｂによる規制領域４３に挿入され、衝合部２４と揺動規制部４２Ａ、４２Ｂとの衝合により柄２０の清掃ヘッドに対する揺動を規制する。柄２０の収縮動作に関連付けて直ちに、衝合部２４と揺動規制部４２Ａ、４２Ｂを衝合させ、柄の収縮動作という動作のみで格別な操作を付加することなく、柄２０の清掃ヘッドに対する揺動を規制できる。柄２０の伸縮に合せて柄２０の長さに適した、柄２０の清掃ヘッドに対する揺動角を実現できる。
【００３４】
(b)清掃具１０は、柄２０に設けた衝合部２４が柄２０の収縮時に、揺動規制部４２Ａと衝合する揺動角と揺動規制部４２Ｂと衝合する揺動角を替える場合には、２つの揺動角の間で揺動が可能となり、柄２０の収縮動作のみで、柄２０の清掃ヘッド４０に対する揺動角を一定範囲内に規制できる。柄２０の伸縮に併せて柄２０の長さに適した、柄２０の清掃ヘッド４０に対する揺動角範囲を実現できる。
【００３５】
(c)柄２０を伸長して床等を清掃するとき（図２）、柄２０の清掃ヘッドに対する揺動は規制されない。従って、柄２０の清掃ヘッドに対する揺動角を大きくとって大ストロークで清掃できる。
【００３６】
(d)柄２０を収縮して浴槽、壁等を清掃するとき（図５）、柄２０の清掃ヘッドに対する揺動角は上述(a)により一定範囲内に規制される。従って、柄２０の清掃ヘッドに対する揺動角をロックすることなく、小さくとって小ストロークで清掃でき、清掃ヘッドが浴槽の縁等でくるっと転回することを防止して、床或いは浴槽等に対する清掃性を向上することができる。
【００３７】
(e)前述(a)の揺動規制部４２Ａ、４２Ｂが清掃ヘッドにおける揺動支軸３０の下部に設けられ、柄２０の衝合部２４が柄２０の収縮時に揺動規制部４２Ａ、４２Ｂによる規制領域４３に挿入され、柄２０の伸縮に応じて柄２０の清掃ヘッドに対する揺動角を規制できる。揺動規制部４２Ａ、４２Ｂを清掃ヘッドにおける揺動支軸３０の下部に設けたから、清掃ヘッドをコンパクトにできる。
【００３８】
(f)柄２０が互いに伸縮する外筒２１と内筒２２からなり、内筒２２の先端部が揺動支軸３０に枢支され、外筒２１に衝合部２４を備えるようにしたから、極めて簡易な構成により、柄２０の伸縮に応じて柄２０の清掃ヘッドに対する揺動角を規制できる。
【００３９】
(g)柄２０の自由状態での清掃ヘッドに対する姿勢を、柄２０がその姿勢で収縮されたとするとき、柄２０の衝合部２４が揺動規制部４２Ａ、４２Ｂによる規制領域４３にそのまま挿入されることとなる姿勢に付勢する付勢手段５０を備えるようにしたから、極めて簡易な構成により、柄２０の伸縮に応じて柄２０の清掃ヘッドに対する揺動角を規制できる。
【００４０】
（実施例２）（図１３〜図２０）
実施例２の清掃具１０Ａが実施例１の清掃具１０と異なる点は、柄２０の伸縮に応じて柄２０の清掃ヘッド４０に対する揺動角を規制する構造にある。
【００４１】
即ち、清掃具１０Ａは、図１３〜図２０に示す如く、柄２０の外筒２１の先端部２１Ｂに設けた大径の幅広状衝合部６１（図１７〜図２０）が、柄２０の収縮時に、清掃ヘッド４０に設けてある揺動規制部７１Ａ、７１Ｂ（図１７〜図２０）による規制領域７２に挿入され、衝合部６１と第１と第２の揺動規制部７１Ａ、７１Ｂとの衝合により柄２０の清掃ヘッド４０に対する揺動角を一定範囲内に規制する。
【００４２】
本実施例では、清掃ヘッド４０の上面に、左右の軸受４１から柄２０の長手方向に延在される左右の壁７０を設け、左右の壁７０の相対する内面の最下部に第１揺動規制部７１Ａを突設するとともに、相対する内面の最上部に第２揺動規制部７１Ｂを突設し、第１揺動規制部７１Ａと第２揺動規制部７１Ｂの間を規制領域７２とする。相対する第１揺動規制部７１Ａ同士の間隔と、相対する第２揺動規制部７１Ｂ同士の間隔は、柄２０の外筒２１に設けた衝合部６１より狭幅をなし、衝合部６１はそれらの揺動規制部７１Ａ、７１Ｂと衝合する一方、柄２０の小径の内筒２２より広幅をなし、内筒２２はそれらの揺動規制部７１Ａ、７１Ｂと衝合しない。
【００４３】
従って、第１と第２の揺動規制部７１Ａ、７１Ｂは清掃ヘッド４０における揺動支軸３０から柄２０の長手方向に沿うグリップ２１Ａ側に設けられ、柄２０の衝合部６１が柄２０の収縮時にそれらの揺動規制部７１Ａ、７１Ｂによる規制領域７２に挿入される。柄２０の衝合部６１が清掃ヘッド４０の第１揺動規制部７１Ａに衝合するとき（図１７、図１８）、柄２０の清掃ヘッド４０に対する揺動角は第１揺動角（例えば0度）に設定され、柄２０の衝合部６１が清掃ヘッド４０の第２揺動規制部７１Ｂに衝合するとき（図１９、図２０）、柄２０の清掃ヘッド４０に対する揺動角は第２揺動角（例えば20度）に設定され、柄２０の清掃ヘッド４０に対する揺動角を例えば0度（柄２０と清掃ヘッド４０は平行）〜20度の範囲内に規制される。
【００４４】
柄２０の伸長時には、柄２０の小径の内筒２２が第１と第２の揺動規制部７１Ａ、７１Ｂの規制領域７２に配置され、それら揺動規制部７１Ａ、７１Ｂに何ら衝合することなく、柄２０の清掃ヘッド４０に対する揺動角は規制されない。
【００４５】
清掃具１０Ａは、柄２０に清掃圧を加えない、柄２０の自由状態での清掃ヘッド４０に対する姿勢を、柄２０がその姿勢で収縮されたとするとき、柄２０の衝合部６１が清掃ヘッド４０の第１と第２の揺動規制部７１Ａ、７１Ｂによる規制領域７２にそのまま挿入されることとなる姿勢に付勢する付勢手段８０を備える。付勢手段８０は、図１４、図１６に示す如く、揺動支軸３０のまわりに巻装されるねじりコイルばねからなり、付勢手段８０のばね素線の一端を柄２０に、他端を清掃ヘッド４０に引掛け、柄２０の衝合部６１を清掃ヘッド４０の第１揺動規制部７１Ａに衝合せしめる方向に該柄２０を清掃ヘッド４０に対して回転させる付勢力を付与する。
【００４６】
本実施例によれば以下の作用効果を奏する。
(a)清掃具１０Ａは、柄２０に設けた衝合部６１が柄２０の収縮時に、清掃ヘッド４０に設けてある揺動規制部７１Ａ、７１Ｂによる規制領域７２に挿入され、衝合部６１と揺動規制部７１Ａ、７１Ｂとの衝合により柄２０の清掃ヘッド４０に対する揺動角を一定範囲内に規制する。柄２０の収縮動作に関連付けて直ちに、衝合部６１と揺動規制部７１Ａ、７１Ｂを衝合させ、格別な操作を付加することなく、柄２０の清掃ヘッド４０に対する揺動角を一定範囲内に規制できる。柄２０の伸縮に合せて柄２０の長さに適した、柄２０の清掃ヘッド４０に対する揺動角範囲を実現できる。
【００４７】
(b)柄２０を伸長して床等を清掃するとき（図１５）、柄２０の清掃ヘッド４０に対する揺動角は規制されない。従って、柄２０の清掃ヘッド４０に対する揺動角を大きくとって大ストロークで清掃できる。
【００４８】
(c)柄２０を収縮して浴槽、壁等を清掃するとき（図１９）、柄２０の清掃ヘッド４０に対する揺動角は上述(a)により一定範囲内に規制される。従って、柄２０の清掃ヘッド４０に対する揺動角をロックすることなく、小さくとって小ストロークで清掃でき、清掃ヘッドが浴槽の縁等でくるっと転回することを防止して、床或いは浴槽等に対する清掃性を向上することができる。
【００４９】
(d)前述(a)の揺動規制部７１Ａ、７１Ｂが清掃ヘッド４０における揺動支軸３０から柄２０の長手方向に沿うグリップ２１Ａ側に設けられ、柄２０の衝合部６１が柄２０の収縮時に揺動規制部７１Ａ、７１Ｂによる規制領域７２に挿入され、柄２０の伸縮に応じて柄２０の清掃ヘッド４０に対する揺動角を規制できる。
【００５０】
(e)柄２０が互いに伸縮する外筒２１と内筒２２からなり、内筒２２の先端部が揺動支軸３０に枢支され、外筒２１に衝合部６１を備えるようにしたから、極めて簡易な構成により、柄２０の伸縮に応じて柄２０の清掃ヘッド４０に対する揺動角を規制できる。
【００５１】
(f)柄２０の自由状態での清掃ヘッド４０に対する姿勢を、柄２０がその姿勢で収縮されたとするとき、柄２０の衝合部６１が揺動規制部７１Ａ、７１Ｂによる規制領域７２にそのまま挿入されることとなる姿勢に付勢する付勢手段８０を備えるようにしたから、極めて簡易な構成により、柄２０の伸縮に応じて柄２０の清掃ヘッド４０に対する揺動角を規制できる。
【図面の簡単な説明】
【００５２】
【図１】図１は実施例１の清掃具の伸長自由状態を示す模式図である。
【図２】図２は清掃具の伸長使用状態を示す模式図である。
【図３】図３は清掃具の収縮自由状態を示す模式図である。
【図４】図４は図３の要部拡大図である。
【図５】図５は清掃具の収縮使用状態を示す模式図である。
【図６】図６は図５の要部拡大図である。
【図７】図７は柄の衝合部を示す模式図である。
【図８】図８は清掃ヘッドの揺動規制部を示す模式図である。
【図９】図９は清掃具の変形例を示す模式図である。
【図１０】図１０は図９の要部拡大図である。
【図１１】図１１は清掃具の変形例を示す模式図である。
【図１２】図１２は図１１の要部拡大図である。
【図１３】図１３は実施例２の清掃具の伸長自由状態を示す模式図である。
【図１４】図１４は図１３の要部拡大断面図である。
【図１５】図１５は清掃具の伸長使用状態を示す模式図である。
【図１６】図１６は図１５の要部拡大断面図である。
【図１７】図１７は清掃具の収縮自由状態を示す模式図である。
【図１８】図１８は図１７の要部拡大断面図である。
【図１９】図１９は清掃具の収縮使用状態を示す模式図である。
【図２０】図２０は図１９の要部拡大断面図である。
【符号の説明】
【００５３】
１０、１０Ａ  清掃具
２０  柄
２１  外筒（第１筒）
２１Ａ  グリップ
２１Ｂ  先端部
２２  内筒（第２筒）
２４  衝合部
３０  揺動支軸
４０  清掃ヘッド
４２Ａ、４２Ｂ  揺動規制部
４３  規制領域
５０  付勢手段
６１  衝合部
７１Ａ、７１Ｂ  揺動規制部
７２  付勢領域
８０  付勢手段
【図１】
2008295650.tif 000003
【図２】
2008295650.tif 000004
【図３】
2008295650.tif 000005
【図４】
2008295650.tif 000006
【図５】
2008295650.tif 000007
【図６】
2008295650.tif 000008
【図７】
2008295650.tif 000009
【図８】
2008295650.tif 000010
【図９】
2008295650.tif 000011
【図１０】
2008295650.tif 000012
【図１１】
2008295650.tif 000013
【図１２】
2008295650.tif 000014
【図１３】
2008295650.tif 000015
【図１４】
2008295650.tif 000016
【図１５】
2008295650.tif 000017
【図１６】
2008295650.tif 000018
【図１７】
2008295650.tif 000019
【図１８】
2008295650.tif 000020
【図１９】
2008295650.tif 000021
【図２０】
2008295650.tif 000022